(57)【要約】【課題】コストを抑えながらもデザイン性や落下強度を向上させることが可能なヒンジ構造及び携帯端末を提供する。【解決手段】上部筐体のボス部と下部筐体のボス部を汎用部品である連結部材を貫通させて連結し、衝撃緩衝材料からなるキャップを設置した中間部材を連結部材に設置する。この構成では、衝撃緩衝材料でボス部の穴が封止されるため、ヒンジ部から落下した場合であっても、衝撃をキャップで十分に緩和することが可能であり、コスト上昇を抑えながも、ヒンジ部が筐体から突出した携帯端末のデザインを採用することが可能となる。  【選択図】  図３
2007002951.tif 000002
【特許請求の範囲】
【請求項１】
上部筐体と下部筐体と回動可能に連結する携帯端末のヒンジ構造において、
前記上部筐体のボス部と前記下部筐体のボス部を連結する連結部材と、
前記連結部材が外部に露出する面を被覆するキャップと
を具備し、
前記キャップは、衝撃緩衝材料で構成され、前記ボス部の外面から膨出した形状を呈している
ことを特徴とするヒンジ構造。
【請求項２】
前記キャップは、
中間部材を介して設置され、
前記キャップの一部が前記中間部材と前記上部筐体又は前記下部筐体のボス部との間に挟持されている
ことを特徴とするヒンジ構造。
【請求項３】
上部筐体と下部筐体とをヒンジ部で回動可能に連結した携帯端末において、
前記ヒンジ部は、
前記上部筐体のボス部と前記下部筐体のボス部を連結する連結部材と、
前記連結部材が外部に露出する面を被覆するキャップと
を具備し、
前記キャップは、衝撃緩衝材料で構成され、前記ボス部の外面から膨出した形状を呈している
ことを特徴とする携帯端末。
【請求項４】
前記キャップは、
中間部材を介して設置され、
前記キャップの一部が前記中間部材と前記上部筐体又は前記下部筐体のボス部との間に挟持されている
ことを特徴とする請求項３記載の携帯端末。
【発明の詳細な説明】
【技術分野】
【０００１】
本発明は、ヒンジ構造及び携帯端末に関し、特に、落下などの衝撃に強いヒンジ構造及び携帯端末に関する。
【背景技術】
【０００２】
携帯電話機やＰＨＳ(Personal Handyphone System)などの携帯端末には、図４に示すように、上部筐体１００と下部筐体１１０をヒンジ部１２０を介して回動が可能なように連結し、筐体の折り畳みを可能としているものがある（例えば、特許文献１参照）。
【０００３】
このヒンジ部１２０は、図５(ａ)に示すように、上部筐体と下部筐体を連結するため連結部材１２１と、連結部材１２１を設置するためのボス部の穴を封止するキャップ１２２とで構成されている。
【０００４】
そして、各筐体には、それぞれ互いの筐体と連結するための部位（ボス部）が設けられており、ヒンジ部１２０は、図５(ｂ)に示すように、下部筐体１１０のボス部１１１から上部筐体１００のボス部１０１にかけて連結部材１２１を貫通させ、上部筐体１００と下部筐体１１０を回動可能に連結すると共に、連結部材１２１を設置するためのボス部１１１をキャップ１２２で覆い、キャップ１２２の表面１２３とボス部１１１の高さをほぼ一致させて、ヒンジ部１２０が下部筐体１１０から著しく突出しないように配置されている。
【０００５】
このため、折り畳んだ筐体をヒンジ側（図４(ａ)の右側）から見た場合、図４(ｂ)に示すように、ボス部１０１、１１１が見えるものの、キャップ１２２などのヒンジ部自体は見えない構成となっており、折り畳んだ状態で携帯端末が落下した場合は、上部筐体若しくは下部筐体から地面などに衝突し、衝撃に弱いヒンジ部から衝突する恐れは少なかった。
【特許文献１】特開２００５−１５１１０８号公報
【発明の開示】
【発明が解決しようとする課題】
【０００６】
しかし、ヒンジ部を筐体のヒンジ側に大きく張り出した形状とすると、携帯端末が落下した際にヒンジ部から地面などに衝突する恐れがある。この場合、ＡＢＳ樹脂などからなるキャップでは十分に衝撃を緩和できず、衝撃によりボス部やヒンジ部を損傷する恐れがあった。
【０００７】
また、ヒンジ部は汎用部品で構成されており、ヒンジ部を筐体から大きく張り出した構成とする際に、衝撃に強い特別な構造とすると、携帯端末のコストが上がるという問題があった。
【０００８】
加えて、このような問題から、ヒンジ部を筐体から大きく張り出した構成とすることが出来ず、無線端末をデザインするにあたって、デザインの自由度が制限されていた。
【０００９】
そこで本発明では、コストを抑えながらもデザイン性や落下強度を向上させることが可能なヒンジ構造及び携帯端末を提供することを目的とする。
【課題を解決するための手段】
【００１０】
本発明は、上部筐体と下部筐体と回動可能に連結する携帯端末のヒンジ構造において、前記上部筐体のボス部と前記下部筐体のボス部を連結する連結部材と、前記連結部材が外部に露出する面を被覆するキャップとを具備し、前記キャップは、衝撃緩衝材料で構成され、前記ボス部の外面から膨出した形状を呈している。
【００１１】
好ましくは、前記キャップは、中間部材を介して設置され、前記キャップの一部が前記中間部材と前記上部筐体又は前記下部筐体のボス部との間に挟持されている。
【００１２】
次に、本発明は、上部筐体と下部筐体とをヒンジ部で回動可能に連結した携帯端末において、前記ヒンジ部は、前記上部筐体のボス部と前記下部筐体のボス部を連結する連結部材と、前記連結部材が外部に露出する面を被覆するキャップとを具備し、前記キャップは、衝撃緩衝材料で構成され、前記ボス部の外面から膨出した形状を呈している。
【００１３】
好ましくは、前記キャップは、中間部材を介して設置され、前記キャップの一部が前記中間部材と前記上部筐体又は前記下部筐体のボス部との間に挟持されている。
【発明の効果】
【００１４】
本願請求項１又は３記載の発明では、携帯端末のコスト上昇を抑えながらも、ヒンジから落下した際の衝撃をキャップで十分に緩和することが可能となる。このため、ヒンジ部を筐体から張り出した構成とすることが可能となり、デザインの自由度を向上させることができる。
【００１５】
また、本願請求項２又は４記載の発明では、本願請求項１又は３記載の効果に加え、さらに、中間部材やボス部の穴からのキャップの脱落を防止することができる。
【発明を実施するための最良の形態】
【００１６】
以下、本発明に係るヒンジ構造及び携帯端末を実施するための最良の形態について、添付図面を参照して詳細に説明する。
【実施例１】
【００１７】
図１及び図２は、本実施例における携帯端末の構成を示す図である。図１に示すように携帯端末は、スピーカ１１や液晶表示部１２などが設けられた上部筐体１０と、マイク２１や操作キー２２などが設けられた下部筐体２０と、左右一対のヒンジ部３０とを含んで構成され、ヒンジ部３０を介して上部筐体１０と下部筐体２０とが回動可能に連結している。
【００１８】
そして、携帯端末１は、上部筐体１０と下部筐体２０をヒンジ部３０を中心に折り畳むことが可能であり、携帯端末を折り畳んだ状態において、ヒンジ部３０は、図２に示すようにヒンジ側（図２(ａ)の右側）に突出した構成となっている。
【００１９】
なお、図２(ａ)は、折り畳んだ筐体を側面から見た図であり、図２(ｂ)は、折り畳んだ筐体をヒンジ側から見た図である。
【００２０】
図３は、ヒンジ部３０の構成を示す断面図であり、同図(ａ)に示すように、上部筐体と下部筐体を連結する連結部材３１と、連結部材３１を設置するためのボス部の穴を封止するキャップ３２と、キャップ３２を連結部材３１に設置する中間部材３３とで構成されている。
【００２１】
ここで、キャップ３２は、シリコンゴムなどの衝撃緩衝材料からなり、中間部材３３に設置するための保持部３４が設けられている。そして、中間部材３３の後述する突出部３５に保持部３４を引掻け、中間部材３３の表面（図３の右側）を覆うように構成されており、ボス部２３に設置された場合は、ボス部の外面から膨出した形状を呈して、ボス部２３の穴を封止する。
【００２２】
また、中間部材３３は、ＰＣ(polycarbonate)やＡＢＳ樹脂などからなり、キャップ３２を設置するための突出部３５が設けられており、キャップ３２の保持部３４を引掻けることにより、当該中間部材にキャップを設置することを可能としている。そして、ボス部２３に設置された場合は、連結部材３１と連結してキャップ３２を設置すると共に、ボス部２３と突出部３５でキャップ３２の保持部３４を挟持して、キャップ３２が中間部材３３から脱落することを防止する。
【００２３】
上記構成を用いて本実施例におけるヒンジ部３０は、図３(ｂ)に示すようにヒンジ部３０は、上部筐体１０の下方端に突出して形成されたボス部１３と、下部筐体２０の上方端に突出して形成されたボス部２３を連結部材３１を貫通させて回動可能に連結させると共に、キャップ３２で覆われた中間部材３３を連結部材３１に設置することにより、連結部材３１を設置するためのボス部２３の穴をキャップ３２で封止している。
【００２４】
なお、図３(ｂ)は、図１(ａ)に点線で示すように、展開した筐体の向かって右側のヒンジ部の断面図であり、ボス部は、筐体の左右に形成される。このため、筐体左側のヒンジ部においても上述したように、連結部材でボス部を貫通させて連結し、キャップでボス部の穴を封止する。
【００２５】
また、本実施例では、中間部材を介してキャップを設置しているが、中間部材を用いることなくキャップを直接設置してもよい。
【００２６】
このように本実施例では、衝撃緩衝材料からなるキャップを用いて、ボス部の穴を外面から膨出した形状で封止しているため、ヒンジ部の強度が向上し、筐体が落下してヒンジ部の角から地面などに衝突した場合であっても、キャップで衝撃を緩和することが可能であり、キャップ部の損傷が防止される。
【００２７】
このため、図２に示すように、携帯端末を折り畳んだ状態において、ヒンジ部をヒンジ側（図２(ａ)の右側）に突出した構成とすることが可能であり、筐体のデザインの自由度が向上する。
【００２８】
また、本実施例における連結部材として、従来のヒンジ部で利用していた連結部材を利用することができるため、コストの上昇を抑えることができる。
【００２９】
さらに、中間部材３３がＰＣなどで構成されているため、連結部材３１にしっかりと固定され、図３(ｂ)に示すように、この中間部材３３の突出部３５とボス部２３との間にキャップ３２の保持部３４を挟み込むため、中間部材３３やボス部２３の穴からキャップ３２が脱落することを防止できる。
【００３０】
なお、上記実施例では、携帯端末の一態様である携帯電話機に本発明を適用した例を示したが、例えば、ＰＤＡ(Personal Digital Assistance)や電子辞書などの携帯可能な端末に対しても、本発明が極めて有効に適用し得るものであることはいうまでもない。
【図面の簡単な説明】
【００３１】
【図１】本実施例における携帯端末の構成を示す図
【図２】本実施例における携帯端末の構成を示す図
【図３】本実施例における本実施例における携帯端末の構成を示す図
【図４】従来の携帯端末の構成を示す図
【図５】従来のヒンジ部の構成を示す断面図
【符号の説明】
【００３２】
１０…上部筐体
１１…スピーカ
１２…液晶表示部
２０…下部筐体
２１…マイク
２２…操作キー
３０…ヒンジ部
３１…連結部材
３２…キャップ
３３…中間部材
３４…保持部
３５…突出部
１００…上部筐体
１０１…ボス部
１１０…下部筐体
１１１…ボス部
１２０…ヒンジ部
１２１…連結部材
１２２…キャップ
１２３…キャップ表面
【図１】
2007002951.tif 000003
【図２】
2007002951.tif 000004
【図３】
2007002951.tif 000005
【図４】
2007002951.tif 000006
【図５】
2007002951.tif 000007